(57)【要約】  このエレベータのガイドレール固定装置では、壁側垂直片（８ｂ）に、アンカーボルト（１０）に作用する荷重の一部を壁側垂直片（８ｂ）との間で生じる摩擦力で負担する座板（９）を設けたので、アンカーボルト（１０）のサイズを小さく、またはアンカーボルト（１０）の本数を削減でき、ガイドレール固定装置を設置する時間を短縮することができる。
2016194139.tif 000002
【特許請求の範囲】
【請求項１】
昇降路壁に一端部を埋め込んで固定された、複数のアンカーボルトを介して前記昇降路に固定される壁側垂直片、及びこの壁側垂直片に対して水平方向に延びた壁側水平片を有する断面Ｌ字形状の壁側ブラケットと、  前記壁側水平片に重ねて固定されたレール側水平片、及びこのレール側水平片に対して垂直方向に延び、前記昇降路壁に沿って上下方向に延びたガイドレールを固定したレール側垂直片を有する断面Ｌ字形状のレール側ブラケットと、  前記壁側垂直片の前記昇降路壁と反対側の面に面接触して締結部材により前記壁側垂直片に固定された座板と、を備え、  前記壁側垂直片は、各前記アンカーボルトの他端部が挿通した第１の壁側穴、及びこの壁側穴に接近して形成された第２の壁側穴を有し、  前記座板は、前記第１の壁側穴に重なって形成された第１の座板穴、及び前記第２の壁側穴に重なって形成された第２の座板穴を有し、  前記アンカーボルトは、他端部にアンカーボルト用ナットが螺着し、このアンカーボルト用ナットが前記アンカーボルトの軸線方向に螺進して前記座板を前記壁側垂直片側に押圧して前記壁側垂直片を前記昇降路壁に押圧して固定し、  前記締結部材は、前記座板の前記第２の座板穴を貫通して前記壁側ブラケットの前記第２の壁側穴と固着して、前記座板と前記壁側ブラケットとを締結したエレベータのガイドレール固定装置。
【請求項２】
前記第１の壁側穴及び前記第２の座板穴は、水平方向に長い長穴である請求項１に記載のエレベータのガイドレール固定装置。
【請求項３】
前記第２の壁側穴は、ねじ穴であり、前記締結部材は、前記ねじ穴に螺着するねじ込みボルトである請求項１または２に記載のエレベータのガイドレール固定装置。
【請求項４】
前記第１の壁側穴は、前記壁側ブラケットの両側にそれぞれ形成されている請求項１〜３の何れか１項に記載のエレベータのガイドレール固定装置。
【発明の詳細な説明】
【技術分野】
【０００１】  この発明は、エレベータのかごあるいは釣合おもりを案内するエレベータのガイドレールを固定するエレベータのガイドレール固定装置に関する。
【背景技術】
【０００２】  従来のエレベータのガイドレール固定装置として、垂直片に水平方向に長い長穴が形成された壁側ブラケットを有し、昇降路壁に一端部が埋設されたアンカーボルトの他端部に上記長穴を挿通してアンカーボルトに軸線方向にアンカーボルト用ナットを螺進して壁側ブラケットを昇降路壁に固定したものが知られている。
【先行技術文献】
【特許文献】
【０００３】
【特許文献１】実開昭６４-２１１７７号公報（第１図）
【発明の概要】
【発明が解決しようとする課題】
【０００４】  上記特許文献１のエレベータのガイドレール固定装置では、アンカーボルト用ナットの締付力で壁側ブラケットを昇降路壁に固定し、ガイドレールに作用する荷重に対してはアンカーボルトで支持しているので、ガイドレールに作用する荷重が大きくなるに従い、アンカーボルトのサイズを大きくし、またはアンカーボルトの本数が多くなりそれだけガイドレール固定装置の設置に時間を要してしまうという問題点があった。【０００５】  この発明は、かかる問題点を解決することを課題とするものであって、簡単な構成でアンカーボルトのサイズを小さく、またはアンカーボルトの本数を削減でき、ガイドレール固定装置を設置する時間を短縮することができるエレベータのガイドレール固定装置を得ることを目的とする。
【課題を解決する手段】
【０００６】  この発明に係るエレベータのガイドレール固定装置は、  昇降路壁に一端部を埋め込んで固定された、複数のアンカーボルトを介して前記昇降路に固定される壁側垂直片、及びこの壁側垂直片に対して水平方向に延びた壁側水平片を有する断面Ｌ字形状の壁側ブラケットと、  前記壁側水平片に重ねて固定されたレール側水平片、及びこのレール側水平片に対して垂直方向に延び、前記昇降路壁に沿って上下方向に延びたガイドレールを固定したレール側垂直片を有する断面Ｌ字形状のレール側ブラケットと、  前記壁側垂直片の前記昇降路壁と反対側の面に面接触して締結部材により前記壁側垂直片に固定された座板と、を備え、  前記壁側垂直片は、各前記アンカーボルトの他端部が挿通した第１の壁側穴、及びこの壁側穴に接近して形成された第２の壁側穴を有し、  前記座板は、前記第１の壁側穴に重なって形成された第１の座板穴、及び前記第２の壁側穴に重なって形成された第２の座板穴を有し、  前記アンカーボルトは、他端部にアンカーボルト用ナットが螺着し、このアンカーボルト用ナットが前記アンカーボルトの軸線方向に螺進して前記座板を前記壁側垂直片側に押圧して前記壁側垂直片を前記昇降路壁に押圧して固定し、  前記締結部材は、前記座板の前記第２の座板穴を貫通して前記壁側ブラケットの前記第２の壁側穴と固着して、前記座板と前記壁側ブラケットとを締結している。
【発明の効果】
【０００７】  この発明に係るエレベータのガイドレール固定装置によれば、壁側垂直片に、アンカーボルトに作用する荷重の一部を壁側垂直片との間で生じる摩擦力で負担する座板を設けたので、アンカーボルトのサイズを小さく、またはアンカーボルトの本数を削減でき、ガイドレール固定装置の設置に要する時間を短縮することができる。
【図面の簡単な説明】
【０００８】
【図１】この発明の実施の形態１のエレベータのガイドレール固定装置を示す平面図である。
【図２】図１の正面図である。
【図３】図１のエレベータのガイドレール固定装置の壁側ブラケットを示す正面図である。
【図４】図１の座板を示す正面図である。
【図５】図１のレール側ブラケットを示す斜視図である。
【図６】図１の壁側ブラケットを示す斜視図である。
【発明を実施するための形態】
【０００９】  実施の形態１．  図１は、この発明の実施の形態１のエレベータのガイドレール固定装置を示す平面図、図２は、図１の正面図、図３は、図１の壁側ブラケット８を示す正面図、図４は、図１の座板９を示す正面図、図５は、図１のレール側ブラケット２を示す斜視図、図６は、図１の壁側ブラケット８を示す斜視図である。  このエレベータのガイドレール固定装置は、昇降路壁２０に固定される壁側ブラケット８と、この壁側ブラケット８に溶接により固定されたレール側ブラケット２と、垂直方向に延びかごを上下に案内する断面Ｔ字形状のかご側ガイドレール１の足部１ａの両側をレール側ブラケット２に固定する一対のレールクリップ３と、壁側ブラケット８の両側に設けられた一対の座板９と、昇降路壁２０に一端部が埋め込んで固定されるアンカーボルト１０と、を備えている。
【００１０】  壁側ブラケット８は、水平片８ａと、この水平片８ａと直角な垂直片８ｂとを有し、垂直片８ｂは、両側に昇降路壁２０に対して水平方向位置調整用の第１の壁側穴である長穴８ｃが形成され、各長穴８ｃの内側に第２の壁側穴であるねじ穴８ｄが形成されている。  レール側ブラケット２は、壁側ブラケット８の水平片８ａに固定された水平片２ａと、この水平片２ａと直角な垂直片２ｂとを有し、垂直片２ｂは、垂直片２ｂの両側に一対のレールクリップ用穴２ｃがそれぞれ形成されている。  一対のレールクリップ３は、かご側ガイドレール１の足部１ａの両側縁部から足部１ａを挟み付けた状態で設けられている。かご側ガイドレール１は、レールクリップ３、レール側ブラケット２のレールクリップ用穴２ｃを貫通したボルト４、ボルト４が貫通した、座金７及びばね座金６、ボルト４に螺着したナット５により、レール側ブラケット２の垂直片２ｂに固定されている。  座板９は、壁側ブラケット８の長穴８ｃに重なった第１の座板穴である丸穴９ａ、壁側ブラケット８のねじ穴８ｄに重なって水平方向に延びた第２の座板穴である長穴９ｂを有している。  一端部が昇降路壁２０に埋め込み、固定されたアンカーボルト１０の他端部には、壁側ブラケット８の長穴８ｃ、座板９の丸穴９ａが挿通している。また、アンカーボルト１０の他端部には、座金１３、ばね座金１２を介してアンカーボルト用ナット１１が螺着しており、このアンカーボルト用ナット１１が軸線方向に螺進して、座板９を壁側垂直片８ｂ側に押圧して壁側垂直片８ｂを昇降路壁２０に押圧し、固定している。  締結部材であるねじ込みボルト１４は、ばね座金１５、座金１６を介して座板９の長穴９ｂを貫通し、壁側ブラケット８のねじ穴８ｄに螺着して、座板９は、壁側ブラケット８と締結されている。
【００１１】  次に、上記構成のエレベータのガイドレール固定装置にかご側ガイドレール１を取付ける手順について説明する。  先ず、一端部が昇降路壁２０に埋め込み、固定されたアンカーボルト１０の他端部に、壁側ブラケット８の長穴８ｃ、座板９の丸穴９ａを挿通する。  その後、アンカーボルト１０の他端部に、座金１３、ばね座金１２を介してアンカーボルト用ナット１１を螺着し、このアンカーボルト用ナット１１を軸線方向に螺進させて、座板９を壁側垂直片８ｂ側に押圧して壁側垂直片８ｂを昇降路壁２０に押圧し、固定する。  次に、ねじ込みボルト１４を用いて一対の座板９をそれぞればね座金１５、座金１６を介して壁側ブラケット８に締付け、固定する。  その後、レール側ブラケット２の垂直片２ｂに形成された穴２ｃに、レールクリップ３に挿入したボルト４を嵌挿し、座金７、ばね座金６、ナット５を用いてレール側ブラケット２の垂直片２ｂにかご側ガイドレール１をレールクリップ３を介して締付ける。  次に、レール側ブラケット２の水平片２ａの端面を昇降路壁２０に当接した状態でレール側ブラケット２の水平片２ａを壁側ブラケット８の水平片８ａと重ね、図１の×印で示す部位を溶接して、レール側ブラケット２を壁側ブラケット８に固定する。
【００１２】  この実施の形態１のエレベータのガイドレール固定装置によれば、アンカーボルト１０は、他端部にアンカーボルト用ナット１１が螺着し、このアンカーボルト用ナット１１がアンカーボルト１０の軸線方向に螺進して座板９を壁側ブラケット８の壁側垂直片８ｂ側に押圧して壁側垂直片８ｂを昇降路壁２０に押圧して固定し、またねじ込みボルト１４は、座板９の長穴９ｂを貫通して壁側ブラケット８のねじ穴８ｄと固着して、座板９と壁側ブラケット８とは締結される。  地震等により水平方向の荷重がかご側ガイドレール１に負荷された場合、その負荷は、かご側ガイドレール１を支持したアンカーボルト１０に作用する。  この場合、座板９は、ねじ込むボルト１４により壁側垂直片８ｂと面接触して締結されており、アンカーボルト１０に負荷された水平方向の荷重の一部は、座板９と壁側垂直片８ｂとの間の摩擦力で支えており、それだけアンカーボルト１０の負荷が小さくて済む。  従って、アンカーボルト１０のサイズを小さくすることができ、コストを低減することができる。  また、昇降路壁２０に一端部を埋め込むアンカーボルト１０の本数を、壁側ブラケット８の両側の２本ですみ、それだけエレベータのガイドレール固定装置の設置に要する時間を短縮することができる。  また、既存のエレベータのガイドレール固定装置に座板９を取付けることで既存のガイドレール固定装置の補強を簡単に行うことができる。
【００１３】  また、壁側ブラケット８に長穴８ｃが形成され、座板９に長穴９ｂが形成されてているので、アンカーボルト１０の水平方向の移動に連動して座板９は壁側垂直片８ｂに対して相対的に水平方向に移動可能であり、それだけに座板９と壁側垂直片８ｂとの間の摩擦力が作用するようになっている。
【００１４】  また、座板９と壁側ブラケット８は、ねじ込みボルト１４を壁側垂直片８ｂのねじ穴８ｄに螺着することで簡単に締結される。
【００１５】  なお、上記実施の形態では、かご側ガイドレール１の固定装置について説明したが、おもり側ガイドレールの固定装置であってもこの発明は適用できる。  また、締結部材としてねじ込みボルト１４を用いたが、これは一例であり、例えばピンであってもよい。  また、レール側ブラケット２は溶接で壁側ブラケット８に固定されているが、溶接は一例であり、接着剤、またはボルト及びナットからなる締結部材を用いてレール側ブラケット２を壁側ブラケット８に固定してもよい。
【符号の説明】
【００１６】  １  かご側ガイドレール、１ａ  足部、２  レール側ブラケット、２ａ  レール側水平片、２ｂ  レール側垂直片、２ｃ  レールクリップ用穴、３  レールクリップ、４  レールクリップ用ボルト、５  レールクリップ用ナット、６  ばね座金、７  座金、８  壁側ブラケット、８ａ  壁側水平片、８ｂ  壁側垂直片、８ｃ  長穴（第１の壁側穴）、８ｄ  ねじ穴（第２の壁側穴）、９  座板、９ａ  丸穴（第１の座板穴）、９ｂ  長穴（第２の座板穴）、１０  アンカーボルト、１１  アンカーボルト用ナット、１２  ばね座金、１３  座金、１４  ねじ込みナット（締結部材）、１５  ばね座金、１６  座金。
【図１】
2016194139.tif 000003
【図２】
2016194139.tif 000004
【図３】
2016194139.tif 000005
【図４】
2016194139.tif 000006
【図５】
2016194139.tif 000007
【図６】
2016194139.tif 000008
【国際調査報告】
2016194139.tif 000009
2016194139.tif 000010